(57)【要約】【課題】金属板コイル（例えば、熱延鋼板コイル）からサンプルを採取するに際して、コンパクトな設置スペースでサンプルを採取することができる金属板コイルサンプル採取装置を提供する。【解決手段】金属板コイルからサンプルを採取するための金属板コイルサンプル採取装置であって、金属板コイルを支持しながら回転させるクレイドルロールと、金属板コイルの最外周の先端を開端するピーリング刃体と、前記ピーリング刃体を支持するピーリング刃体支持部材と、開端した金属板コイルから引き出された金属板を予め定めた長さで切断してサンプルを得る切断機と、前記ピーリング刃体支持部材の上面に設置されたローラーテーブルとを備え、前記切断機で切断して得られたサンプルを前記ローラーテーブルによって搬送することを特徴とする金属板コイルサンプル採取装置。【選択図】図１
2019030893.tif 000002
【特許請求の範囲】
【請求項１】
金属板コイルからサンプルを採取するための金属板コイルサンプル採取装置であって、
金属板コイルを支持しながら回転させるクレイドルロールと、
金属板コイルの最外周の先端を開端するピーリング刃体と、
前記ピーリング刃体を支持するピーリング刃体支持部材と、
開端した金属板コイルから引き出された金属板を予め定めた長さで切断してサンプルを得る切断機と、
前記ピーリング刃体支持部材の上面に設置されたローラーテーブルとを備え、
前記切断機で切断して得られたサンプルを前記ローラーテーブルによって搬送することを特徴とする金属板コイルサンプル採取装置。
【請求項２】
前記ピーリング刃体の下面に自由回転するフリーローラーを備えていることを特徴とする請求項１に記載の金属板コイルサンプル採取装置。
【請求項３】
前記ピーリング刃体と前記ピーリング刃体支持部材との連結部に、昇降可能に設置された昇降可動リブを備え、引き出された金属板が前記連結部を通過する時には、前記昇降可動リブが上昇して、引き出された金属板の先端を支持し、引き出された金属板が前記切断機で切断される時には、前記昇降可動リブは下降して、前記切断機で損傷されない位置に退避することを特徴とする請求項１または２に記載の金属板コイルサンプル採取装置。
【発明の詳細な説明】
【技術分野】
【０００１】
本発明は、コイルになった金属板（金属板コイル）からサンプルを採取するための金属板コイルサンプル採取装置に関する。
【背景技術】
【０００２】
従来、金属板コイル（例えば、熱延鋼板コイル）からサンプルを採取する際には、ピーラーを用いて、金属板コイルの最外周の先端をピーリング刃体で開端し、開端した金属板コイルから予め定めた長さの金属板を引き出した後、引き出した金属板を切断し、切断によって得られたサンプルを台車により一次搬送し、さらにアーム式ジブクレーンにより二次搬送して、サンプル評価試験場所に送っていた（例えば、特許文献１参照）。
【先行技術文献】
【特許文献】
【０００３】
【特許文献１】特開２０１５−８９５６３号公報
【発明の概要】
【発明が解決しようとする課題】
【０００４】
しかしながら、上記のように、金属板コイルからサンプルを採取する際に、得られたサンプルを台車により一次搬送するためには、装置の設置スペースを十分に確保しなければならないという問題があった。
【０００５】
本発明は、上記のような事情に鑑みてなされたものであり、金属板コイル（例えば、熱延鋼板コイル）からサンプルを採取するに際して、コンパクトな設置スペースでサンプルを採取することができる金属板コイルサンプル採取装置を提供することを目的とするものである。
【課題を解決するための手段】
【０００６】
上記課題を解決するために、本発明は以下の特徴を有している。
【０００７】
［１］金属板コイルからサンプルを採取するための金属板コイルサンプル採取装置であって、
金属板コイルを支持しながら回転させるクレイドルロールと、
金属板コイルの最外周の先端を開端するピーリング刃体と、
前記ピーリング刃体を支持するピーリング刃体支持部材と、
開端した金属板コイルから引き出された金属板を予め定めた長さで切断してサンプルを得る切断機と、
前記ピーリング刃体支持部材の上面に設置されたローラーテーブルとを備え、
前記切断機で切断して得られたサンプルを前記ローラーテーブルによって搬送することを特徴とする金属板コイルサンプル採取装置。
【０００８】
［２］前記ピーリング刃体の下面に自由回転するフリーローラーを備えていることを特徴とする前記［１］に記載の金属板コイルサンプル採取装置。
【０００９】
［３］前記ピーリング刃体と前記ピーリング刃体支持部材との連結部に、昇降可能に設置された昇降可動リブを備え、引き出された金属板が前記連結部を通過する時には、前記昇降可動リブが上昇して、引き出された金属板の先端を支持し、引き出された金属板が前記切断機で切断される時には、前記昇降可動リブは下降して、前記切断機で損傷されない位置に退避することを特徴とする前記［１］または［２］に記載の金属板コイルサンプル採取装置。
【発明の効果】
【００１０】
本発明においては、金属板コイル（例えば、熱延鋼板コイル）からサンプルを採取するに際して、コンパクトな設置スペースでサンプルを採取することができる。
【図面の簡単な説明】
【００１１】
【図１】本発明の実施形態１における金属板コイルサンプル採取装置を示す図である。
【図２】本発明の実施形態１における動作手順を示す図である。
【図３】本発明の実施形態１における動作手順を示す図である。
【図４】本発明の実施形態１における動作手順を示す図である。
【図５】本発明の実施形態１における動作手順を示す図である。
【図６】本発明の実施形態２を示す図である。
【図７】本発明の実施形態３を示す図である。
【発明を実施するための形態】
【００１２】
本発明の実施形態を図面に基づいて説明する。
【００１３】
[実施形態１]
図１は、本発明の実施形態１における金属板コイルサンプル採取装置１０を示す図である。
【００１４】
図１に示すように、この実施形態１における金属板コイルサンプル採取装置１０は、金属板コイル（例えば、熱延鋼板コイル）１を支持しながら回転させるクレイドルロール１１と、金属板コイル１の最外周の先端を開端するピーリング刃体１２と、ピーリング刃体１２を支持するピーリング刃体支持部材１４と、ピーリング刃体１２とピーリング刃体支持部材１４とを連結する連結固定リブ１３と、開端した金属板コイル１から引き出された金属板を予め定めた長さで切断してサンプルを得る切断機（プラズマ切断機）１５と、ピーリング刃体支持部材１４の上面に一体化して設置されたローラーテーブル２１とを備えている。
【００１５】
そして、この金属板コイルサンプル採取装置１０においては、以下のような手順によってサンプルの採取を行う。
【００１６】
（Ｓ１）まず、図２に示すように、金属板コイル１をクレイドルロール１１で回転させて、金属板コイル１の最外周の先端をピーリング刃体１２に当接させて開端する。
【００１７】
（Ｓ２）そして、図３に示すように、さらに金属板コイル１をクレイドルロール１１で回転させて、開端した金属板コイル１から金属板２を引き出す。
【００１８】
（Ｓ３）次に、図４に示すように、金属板コイル１から引き出された金属板２をプラズマ切断機１５によって予め定めた長さで切断して、サンプル３を得る。
【００１９】
（Ｓ４）そして、図５に示すように、プラズマ切断機１５で切断して得られたサンプル３をローラーテーブル２１によって搬送する。
【００２０】
このようにして、この実施形態１においては、特許文献１のように台車によってサンプルを搬送するのに替えて、ピーリング刃体支持部材１４の上面に一体化して設置されたローラーテーブル２１によってサンプル３を搬送しているので、金属板コイル１からサンプル３を採取するに際して、コンパクトな設置スペースでサンプル３を採取することができる。
【００２１】
[実施形態２]
本発明の実施形態２においては、上述した本発明の実施形態１の構成に加えて、図６に示すように、ピーリング刃体１２の下面に自由回転するフリーローラー２２を備えている。
【００２２】
これによって、金属板コイル１の外周面とフリーローラー２２が接触することになるので、金属板コイル１の外周面とピーリング刃体１２の下面とが直接接触して金属板コイル１の外周面に傷を残してしまうことがなくなる。
【００２３】
[実施形態３]
本発明の実施形態３においては、上述した本発明の実施形態１、２の構成に加えて、図７に示すように、ピーリング刃体１２とピーリング刃体支持部材１４との連結部（連結固定リブ）１３に、昇降可能に設置された昇降可動リブ２３を備えている。
【００２４】
そして、図７（ａ）に示すように、引き出された金属板２が連結部１３を通過する時には、昇降可動リブ２３が上昇して、引き出された金属板２の先端を支持する。
【００２５】
一方、図７（ｂ）に示すように、引き出された金属板２がプラズマ切断機１５で切断される時には、昇降可動リブ２３は下降して、プラズマ切断機１５で損傷されない位置に退避する。
【００２６】
これによって、引き出された金属板２がプラズマ切断機１５で切断される時に、金属板２を通過したプラズマによって連結固定リブ１３が損傷したとしても、その損傷個所に金属板２の先端が引っ掛かって金属板２の通板が阻害されることが回避される。
【符号の説明】
【００２７】
１  金属板コイル
２  金属板
３  サンプル
１０  金属板コイルサンプル採取装置
１１  クレイドルロール
１２  ピーリング刃体
１３  連結固定リブ（連結部）
１４  ピーリング刃体支持部材
１５  プラズマ切断機
２１  ローラ−テーブル
２２  フリーローラー
２３  昇降可動リブ
【図１】
2019030893.tif 000003
【図２】
2019030893.tif 000004
【図３】
2019030893.tif 000005
【図４】
2019030893.tif 000006
【図５】
2019030893.tif 000007
【図６】
2019030893.tif 000008
【図７】
2019030893.tif 000009